(57)【特許請求の範囲】
【請求項１】
光学系を支持する支持部材と、
前記支持部材と対向して配置され、前記支持部材を前記光学系の光軸方向に位置決めする位置決め部と、
前記支持部材と前記位置決め部とを固定するねじと、
切欠部を有し、該切欠部を前記ねじに係合させた状態で前記支持部材と前記位置決め部との間に配置された板状部材と、
前記支持部材と前記位置決め部の上方に配置され、前記板状部材に対応する位置に開口部を有する開口部材とを有し、
前記板状部材は、前記ねじの軸まわりに回転された状態で、前記光学系の径方向において前記開口部材の前記開口部が設けられていない部分に重畳するように突出した突出部を有することを特徴とするレンズ鏡筒。
【請求項２】
請求項１に記載のレンズ鏡筒において、
前記突出部は、前記ねじを締め付けて前記支持部材と前記位置決め部とを固定する際に前記ねじが回転する方向に突出していることを特徴とするレンズ鏡筒。
【請求項３】
請求項１または2に記載のレンズ鏡筒において、
前記板状部材は、前記開口部に当接する当接部を有することを特徴とするレンズ鏡筒。
【請求項４】
請求項１から３のいずれか一項に記載のレンズ鏡筒において、
前記板状部材は、前記開口部と反対の方向を示す指標を有することを特徴とするレンズ鏡筒。
【請求項５】
請求項１から４のいずれか一項に記載のレンズ鏡筒において、
前記光学系は、前記光学系の光軸に対して交差する方向に移動可能なレンズであることを特徴とするレンズ鏡筒。
【発明の詳細な説明】
【技術分野】
【０００１】
本発明は、光学系の光軸の傾きを調整可能なレンズ鏡筒に関するものである。
【背景技術】
【０００２】
従来、複数のレンズ群からなる光学系の像面の倒れを、少なくとも一つの特定レンズ群を倒すことによって矯正する装置が知られている。例えば、レンズを支持するレンズ枠と、レンズ枠を支持する支持フランジと、レンズ枠を支持フランジに固定する固定ねじとを有し、レンズ枠と支持フランジとの間にワッシャを挿入するためのワッシャ挿入溝部を設けたレンズ鏡筒が特許文献１に開示されている。
【先行技術文献】
【特許文献】
【０００３】
【特許文献１】実開平６−２３０１３号公報
【発明の概要】
【発明が解決しようとする課題】
【０００４】
しかし、従来のレンズ鏡筒は、レンズ枠を支持フランジに固定している固定ねじが弛んだ場合に、ワッシャがワッシャ挿入溝部から脱落するおそれがあった。
【０００５】
そこで本発明は、レンズ枠を固定している固定ねじが弛んだ場合であっても、ワッシャがワッシャ挿入溝部から容易には脱落しないレンズ鏡筒を提供することを目的とする。
【課題を解決するための手段】
【０００６】
請求項１の発明は、光学系（Ｌ２）を支持する支持部材（７）と、前記支持部材と対向して配置され、前記支持部材を前記光学系の光軸方向に位置決めする位置決め部（６ｂ）と、前記支持部材と前記位置決め部とを固定するねじ（８）と、切欠部を有し、該切欠部を前記ねじに係合させた状態で前記支持部材と前記位置決め部との間に配置された板状部材（１０）と、前記支持部材と前記位置決め部の上方に配置され、前記板状部材に対応する位置に開口部（６ｃ）を有する開口部材（６）とを有し、前記板状部材は、前記ねじの軸まわりに回転された状態で、前記光学系の径方向において前記開口部材の前記開口部が設けられていない部分に重畳するように突出した突出部（１０ｄ）を有することを特徴とするレンズ鏡筒である。
【０００７】
請求項２の発明は、請求項１に記載のレンズ鏡筒において、前記突出部は、前記ねじを締め付けて前記支持部材と前記位置決め部とを固定する際に前記ねじが回転する方向に突出していることを特徴とするレンズ鏡筒である。
【０００８】
請求項３の発明は、請求項１または２に記載のレンズ鏡筒において、前記板状部材は、前記開口部に当接する当接部（１０ｃ）を有することを特徴とするレンズ鏡筒である。
【０００９】
請求項４の発明は、請求項１から３のいずれか一項に記載のレンズ鏡筒において、前記板状部材は、前記開口部と反対の方向を示す指標（１０ａ）を有することを特徴とするレンズ鏡筒である。
【００１０】
請求項５の発明は、請求項１から４のいずれか一項に記載のレンズ鏡筒において、前記光学系は、前記光学系の光軸に対して交差する方向に移動可能なレンズ（Ｌ２）であることを特徴とするレンズ鏡筒である。
【００１１】
なお、本発明を分かり易く説明するために一実施例を表す図面の符号に対応づけて説明したが、本発明はこれに限定されるものではなく、後述の実施形態の構成を適宜改良してもよく、また、実施形態に開示された構成の少なくとも一部を他の構成物に代替させても良い。
【図面の簡単な説明】
【００１２】
【図１】本発明の実施形態に係るレンズ鏡筒１の断面を示す図である。
【図２】図１の支持筒６を示す図である。
【図３】図２の支持筒６のＡ−Ａ断面を示す図である。
【図４】図２に示す支持筒６のＡ−Ａ断面であって、ワッシャ状部材１０の第１状態を示す図である。
【図５】図２に示す支持筒６のＡ−Ａ断面であって、ワッシャ状部材１０の第２状態を示す図である。
【発明を実施するための形態】
【００１３】
図１は、本発明の実施形態に係るレンズ鏡筒１の断面図である。レンズ鏡筒１は、第１レンズ群Ｌ１と第２レンズ群Ｌ２とで構成される光学系Ｌを有している。また、レンズ鏡筒１は、カメラボディ１００のボディマウント１００ａに着脱可能なレンズマウント２ａと一体的に構成された固定筒２を有している。この固定筒２の内側には、カム溝３ａとカム溝３ｂとが設けられたカム筒３が配置されている。また、固定筒２の外側には、光学系Ｌの光軸Ｏ１回りに回転可能なズーム環９が配置されている。そして、ズーム環９に設けられた連結キー９ａが、固定筒２に設けられた逃げ溝２ｃを介してカム筒３に係合している。これにより、ズーム環９を回転操作することにより、カム筒３を光軸Ｏ１まわりに回転することができる。
【００１４】
カム筒３の内側には、摺動筒４が配置されている。この摺動筒４には、固定筒２に光軸Ｏ１方向（図１のＺ軸方向）に沿って設けられた直進溝２ｂと、カム筒３のカム溝３ａとに係合するフォロアピン４ａが設けられており、カム筒３の回転に伴って光学系Ｌの光軸Ｏ１方向（図１のＺ軸方向）に移動する。また、摺動筒４には、第１レンズ群Ｌ１を支持している第１レンズ群支持筒５に設けられたカム溝５ａに係合するフォロアピン４ｃが設けられている。これにより、摺動筒４は、ズーム環９が回転操作されると、第１レンズ群支持筒５と一体となって光学系Ｌの光軸Ｏ１方向（図１のＺ軸方向）に移動して光学系Ｌの焦点距離を変化させる（ズーミング）。なお、このズーミングは、第１レンズ群Ｌ１と後述のブレ補正ユニット７に支持される第２レンズ群Ｌ２との相対位置を変更することにより行う。
【００１５】
第１レンズ群支持筒５は、摺動筒４における光学系Ｌの物体側（図１の−Ｚ方向）に配置されている。また、第１レンズ群支持筒５は、モーター等の駆動手段を有する駆動機構５ｂにより光軸Ｏ１まわりに回転可能となっている。第１レンズ群支持筒５が回転すると、そのカム溝５ａとフォロアピン４ｃとの係合により、第１レンズ群支持筒５が摺動筒４に対して光軸Ｏ１方向（図１のＺ軸方向）に移動して光学系Ｌの焦点調節を行う。
【００１６】
摺動筒４の内側には、光学系Ｌによる像のブレを補正するブレ補正ユニット７を支持する支持筒６が配置されている。支持筒６には、ブレ補正ユニット７を光軸Ｏ１方向（図１のＺ軸方向）に位置決めする位置決め部６ｂが支持筒６の内側に突出して設けられている。この位置決め部６ｂには、ブレ補正ユニット７がねじ８によって固定されている。また、支持筒６の外側には、フォロアピン６ａが突出して設けられている。このフォロアピン６ａは、摺動筒４に設けられている逃げ溝４ｂを介して、カム筒３のカム溝３ｂと固定筒２の直進溝２ｂとに係合している。これにより、ズーム環９が回転操作されると、支持筒６は、光軸Ｏ１方向（図１のＺ軸方向）にブレ補正ユニット７と一体となって移動する。
【００１７】
ブレ補正ユニット７は、第２レンズ群Ｌ２を光軸Ｏ１に対して交差する方向（図１のＸ軸方向、Ｙ軸方向）に移動可能に支持している。また、ブレ補正ユニット７には、第２レンズ群Ｌ２を光軸Ｏ１に対して交差する方向に駆動する駆動手段７ａが設けられている。したがって、ブレ補正ユニット７に設けられた駆動手段７ａによって第２レンズ群Ｌ２を駆動して光学系Ｌによる像ブレを補正可能となっている。また、ブレ補正ユニット７は、ズーム環９が回転操作されると、支持筒６と一体となって光軸Ｏ１方向（図１のＺ軸方向）に移動してズーミングを行う。
【００１８】
図２は、図１の支持筒６を示す図である。支持筒６の位置決め部６ｂとブレ補正ユニット７との間隔には、ワッシャ状部材１０が配置されている。ワッシャ状部材１０は、第２レンズ群Ｌ２の光軸Ｏ２方向（図２のＺ軸方向）に厚みを有しており、この厚みによりブレ補正ユニット７の位置決め部６ｂに対する位置を調整可能となっている。
【００１９】
また、支持筒６には、ワッシャ状部材１０に対応する位置に開口部６ｃが設けられている。ワッシャ状部材１０は、この開口部６ｃを介して支持筒６の位置決め部６ｂとブレ補正ユニット７との間隔に挿脱可能となっている。
【００２０】
図３は、図２の支持筒６のＡ−Ａ断面を示す図である。支持筒６には、円周方向の３箇所に略等間隔で開口部６ｃが設けられており、各々の開口部６ｃにワッシャ状部材１０が挿入されている。また、ワッシャ状部材１０には、ねじ８の軸８ａに係合する切欠部１０ｂが設けられている。
【００２１】
図４は、図２のＡ−Ａ断面であって、ワッシャ状部材１０が支持筒６の位置決め部６ｂとブレ補正ユニット７との間隔に挿入された直後の状態（第１状態）を示す図である。ワッシャ状部材１０は、切欠部１０ｂがねじ８の軸８ａに係合した状態において、軸８ａまわりに回転可能となっている。そのため、ワッシャ状部材１０は、ねじ８の軸８ａまわりに回転されると、図５に示す状態（第２状態）に変移することができる。
【００２２】
なお、ワッシャ状部材１０には、ワッシャ状部材１０の開口部６ｃへの挿入方向（開口部６ｃと反対の方向）を示した指標１０ａが設けられている。
【００２３】
図５は、図２の支持筒６のＡ−Ａ断面であって、ワッシャ状部材１０がねじ８の軸８ａまわりに回転された状態（第２状態）を示す図である。ワッシャ状部材１０には、ワッシャ状部材１０の回転を規制する回転規制部１０ｃが設けられている。この回転規制部１０ｃは、支持筒６の開口部６ｃに当接してワッシャ状部材１０の回転を規制している。これにより、ワッシャ状部材１０が支持筒６の内側に脱落するのを防止している。
【００２４】
また、ワッシャ状部材１０は突出部１０ｄを有している。この突出部１０ｄは、支持筒６の開口部６ｃの下方において、開口部６ｃから支持筒６側（図５の−Ｘ方向）に突出している。これにより、ワッシャ状部材１０が、開口方向（図５の＋Ｙ方向）に移動して支持筒６の外側に脱落するのを防止している。
【００２５】
また、ワッシャ状部材１０に設けられた切欠部１０ｂの両側の脚部１０ｅは、図５に示すワッシャ状部材１０の第２状態において、開口方向（図５の＋Ｙ方向）に関して、ねじ８の軸８ａに係合している。これによっても、ワッシャ状部材１０が、開口方向（図５の＋Ｙ方向）に移動して支持筒６の外側に脱落するのを防止している。
【００２６】
なお、ワッシャ状部材１０とねじ８とを磁性材料で構成し、少なくとも一方が磁性を帯びた状態にしておくことで、ワッシャ状部材１０とねじ８との間に働く磁力によってワッシャ状部材１０がねじ８の軸８ａから離れ難くなるようにしてもよい。
【００２７】
次に、第２レンズ群Ｌ２の光軸Ｏ２の傾きの調整方法について説明する。
【００２８】
第２レンズ群Ｌ２の光軸Ｏ２の傾きの調整（以下、チルト調整と称す）は、支持筒６の位置決め部６ｂと第２レンズ群Ｌ２を支持するブレ補正ユニット７との間隔に、厚みを適宜選択してワッシャ状部材１０を挿入することで行われる。
【００２９】
まず、支持筒６の位置決め部６ｂにブレ補正ユニット７を固定しているねじ８が弛んだ状態で、ワッシャ状部材１０を支持筒６の開口部６ｃを介して位置決め部６ｂとブレ補正ユニット７との間隔に挿入する。このとき、ワッシャ状部材１０を指標１０ａの方向に沿って開口部６ｃに挿入することで、ワッシャ状部材１０の切欠部１０ｂが、ねじ８の軸８ａに係合する（図４参照）。次に、棒状部材等を使用して支持筒６の外側から開口部６ｃを介してワッシャ状部材１０を回転させ、ワッシャ状部材１０を第１状態（図４参照）から第２状態（図５参照）に変移させる。その後、ねじ８を締め付けて、支持筒６の位置決め部６ｂにブレ補正ユニット７をワッシャ状部材１０とともに固定する。
【００３０】
なお、ねじ８の締め付け動作に伴ってワッシャ状部材１０が第２状態から第１状態に戻ってしまわないように、ねじ８の締め付け方向とワッシャ状部材１０が第１状態から第２状態へ変移する際の移動方向とを同じにするのが好ましい。この場合、ワッシャ状部材１０の突出部１０ｄは、第２状態において、ねじ８の締め付け方向に突出する。
【００３１】
このようにして、適宜厚みを選択したワッシャ状部材１０を支持筒６の位置決め部６ｂとブレ補正ユニット７との間隔に挿入すると、ワッシャ状部材１０の厚みに応じて位置決め部６ｂとブレ補正ユニット７との間隔が変化するため、ブレ補正ユニット７に支持される第２レンズ群Ｌ２の光軸Ｏ２の傾きを調整することができる。
【００３２】
なお、一度の調整作業で良好にチルト調整できない場合には、ワッシャ状部材１０の厚みとワッシャ状部材１０を挿入する箇所（開口部６ｃ）とを適宜変更して再度、調整作業を行う。
【００３３】
以上説明した実施形態に限定されることなく、種々の変形や変更が可能であって、それらも本発明の均等の範囲内である。
【００３４】
本実施形態において、ブレ補正ユニット７に支持される第２レンズ群Ｌ２の光軸Ｏ２の傾きを調整する例を示したが、調整の対象となるレンズ群が、必ずしもブレ補正ユニットに支持されている必要はない。例えば、支持筒６の位置決め部６ｂに、レンズを支持するレンズ支持枠が固定されるようなレンズ鏡筒であっても本発明を実施することは可能である。
【００３５】
また、本実施形態において、支持筒６に設けられた３箇所の開口部６ｃの各々にワッシャ状部材１０が挿入されている例を示したが、必ずしも全ての開口部６ｃにワッシャ状部材１０が挿入されている必要はない。すなわち、支持筒６に設けられた複数の開口部６ｃのうち、少なくとも一箇所にワッシャ状部材１０を挿入することでチルト調整可能である。
【００３６】
また、本実施形態において、支持筒６の３箇所に開口部６ｃを設けた例を説明したが、支持筒６に設ける開口部６ｃの数がこれに限定されないのは言うまでもない。例えば、開口部６ｃの数を６箇所に増やして、チルト調整の自由度を高めるようにしてもよい。
【００３７】
以上説明した実施形態によれば、位置決め部６ｂにブレ補正ユニット７を固定しているねじ８が弛んだ場合であっても、ワッシャ状部材１０が位置決め部６ｂとブレ補正ユニット７との間に配置された位置から容易には脱落しないという効果を得ることができる。
【符号の説明】
【００３８】
６  支持筒
６ｂ  位置決め部
６ｃ  開口部
７  ブレ補正ユニット
８  ねじ
８ａ  軸
１０  ワッシャ状部材
１０ａ  指標
１０ｂ  切欠部
１０ｃ  回転規制部
１０ｄ  突出部
Ｌ２  第２レンズ群
【図１】
0005381404.tif 000002
【図２】
0005381404.tif 000003
【図３】
0005381404.tif 000004
【図４】
0005381404.tif 000005
【図５】
0005381404.tif 000006